(57)【特許請求の範囲】
【請求項１】
長手方向に延びた貫通孔を有し外面にねじ部が形成された円筒構造の装置本体と、装置本体の中に収容固定された円筒構造の無電磁気石と、装置本体の中に前記無電磁気石と突き合う状態で収容され、被覆電線を通す通し孔を有する弾性を有する電線保持部材と、筒状構造を有し装置本体の端面部分において貫通孔に部分的に挿入され、前記電線保持部材を外部から包持するようにして当該電線保持部材に取り付けられた係止部材と、装置本体に対して、前記係止部材が取り付けられる端面側からねじ込まれ、係止部材を外周から内側へ向けて締め付け変形させる固定用ナット部材とを備え、固定用ナット部材の締め付け操作により係止部材が外周から内側へ変形し、さらに係止部材の変形により電線保持部材が外側から圧縮されて被覆電線に密着しシールすることを特徴とする雑音吸収装置。
【請求項２】
無電磁気石は装置本体に対して着脱自在であることを特徴とする請求項１記載の雑音吸収装置。
【請求項３】
装置本体の内部の無電磁気石装着部には無電磁気石に係合する突起部材が設けられていることを特徴とする請求項１記載の雑音吸収装置。
【請求項４】
突起部材は無電磁気石の端部に係合して当該無電磁気石を固定することを特徴とする請求項３記載の雑音吸収装置。
【請求項５】
突起部材は無電磁気石の胴体部外面に押圧接触して当該無電磁気石を固定することを特徴とする請求項３記載の雑音吸収装置。
【請求項６】
装置本体内には無電磁気石を複数個取り付け可能であり、雑音障害の状況に応じて取り付け個数を変化させることが可能であることを特徴とする請求項１記載の雑音吸収装置。
【請求項７】
係止部材は異質な電線径においても完全な防水を実現することを特徴とする請求項１記載の雑音吸収装置。
【請求項８】
被覆電線は弾力性を有しており、この弾力性を用いて被覆電線を筐体に完全固定することを特徴とする請求項１記載の雑音吸収装置。
【請求項９】
係止部材は装置本体の端部から外部へ露出した部位の外周に装置本体の貫通孔よりも半径方向外方へ突出したリブを有し、ナット部材を装置本体にねじ込んで係止部材が装置本体の貫通孔に嵌入されることによりリブが半径方向内方へ変位せしめられ、電線保持部材を圧縮変形させることを特徴とする請求項１記載の雑音吸収装置。
【請求項１０】
係止部材は両端にリブを有することを特徴とする請求項９記載の雑音吸収装置。
【請求項１１】
前記装置本体の被覆電線引き込み口の部分は、複数の電線固定部分を有し、該複数の電線固定部分は前記装置本体の端部において、装置本体寄りの部位の電線固定部分から装置本体から最も離れた部位の電線固定部分にかけて内径が順次小さくなるように設定され、前記電線固定部分は、端部が二股割れ構造に形成され、この二股に分離された辺部を締結部材により締め付け可能であることを特徴とする請求項１記載の雑音吸収装置。
【請求項１２】
一の電線固定部分と、これに隣接する部分との間には切溝が形成され、この切溝部分で切離し可能であることを特徴とする請求項１１記載の雑音吸収装置。
【発明の詳細な説明】
【０００１】
【発明の属する技術分野】
本発明は、電線に対し雑音吸収装置を完全固定し、筐体との接合に際しても一度の作業にて確実に固定することができる低価格の完全固定式及び完全雑音吸収装置に関するもので、更に、完全防水機能を持たせたものもある。
【０００２】
【従来の技術】
従来、被覆電線を筐体に固定する部品としては図１３に示すようなコネクタｂがあり、また、被覆電線を雑音障害から防御するために内部に磁性体を配置した雑音吸収装置としては同じく図１３に示すようなカバー付の雑音吸収装置ａ、或  いは図１４に示すような円筒状の雑音吸収装置などが使用されている。その他の  タイプの雑音吸収装置としては、例えば筒状のものを２分割したもの、円筒状のものに樹脂製の箱を取り付けたもの、筒状のものを２分割したものに破損防止箱を取り付けたもの、円筒状のものと被覆電線を樹脂により一体成型を施したもの等が知られている。これらのコネクタｂと雑音吸収装置ａとは、それぞれが異なった使用目的或いは機能を有するから、被覆電線または筐体に取り付けられる場合にも互いに異なった部位に別々に取り付けられるのが一般的である。
【０００３】
【発明が解決しようとする課題】
しかしながら、上記図１３および図１４に示した従来の雑音吸収装置では、取り付けに際して結束帯で固定させたり、樹脂により一体成型により固定しようとするもので、必要以上に工数をかけ再利用をしにくくさせている。また、従来の雑音吸収装置にあっては、筐体の接合部に被覆電線を固定することと、雑音吸収装置を被覆電線に固定することが別々の工程となり、金型代等の必要以上の生産費が発生してしまう。また、従来の雑音吸収装置では防水機能を有さず、屋外での使用に不適当である。
【０００４】
本発明は、このような従来の問題を解決するものであり、電線に対し雑音吸収装置を完全固定し、完全防水機能を持たせ、筐体との接合に際しても一度の作業にて確実に固定することができる低価格の完全固定式及び完全雑音吸収装置、さらには完全防水機能をもたせたものをも提供することを目的とする。
【０００５】
【課題を解決するための手段】
本発明は、上記目的を達成するために、雑音吸収装置を、無電磁気石を内部に有し、被覆電線を締め付けるように固定できるようにしたことを要旨とする。無電磁気石は雑音吸収装置から取り外し可能な機構を持つようにすることができ、また、雑音吸収装置内部に突起部を設けて無電磁気石を収納するようにすることもできる。
【０００６】
これにより、装置を低コストで生産できるとともに、電線の太さが異なっていても、電線に対し装置を任意の位置で確実かつ容易に固定することができる。
【０００７】
また本発明は、雑音吸収装置自体をそのまま保持できる機能を有する雑音吸収装置により、筐体に被覆電線の弾力を利用し完全固定する。これにより振動、引張り等により雑音吸収装置の移動による抵抗値の変動に対する防御が確実に行える雑音吸収装置となる。また、完全防水機構に雑音吸収装置を備え、屋外での使用時における水滴等の障害に対する防御が確実に行なえる完全固定防水式雑音吸収装置をも実現することができる。そして、以上の２種類の機能を１基にまとめ、２機能品を一体化させることによって容積を大幅に減少させることもできる。
【０００８】
【発明の実施の形態】
本発明の請求項１に記載の発明は、長手方向に延びた貫通孔を有し外面にねじ部が形成された円筒構造の装置本体と、装置本体の中に収容固定された円筒構造の無電磁気石と、装置本体の中に前記無電磁気石と突き合う状態で収容され、被覆電線を通す通し孔を有する弾性を有する電線保持部材と、筒状構造を有し装置本体の端面部分において貫通孔に部分的に挿入され、前記電線保持部材を外部から包持するようにして当該電線保持部材に取り付けられた係止部材と、装置本体に対して、前記係止部材が取り付けられる端面側からねじ込まれ、係止部材を外周から内側へ向けて締め付け変形させる固定用ナット部材とを備えたものであり、固定用ナット部材の締め付け操作により係止部材が外周から内側へ変形し、さらに係止部材の変形により電線保持部材が外側から圧縮されて被覆電線に密着しシールすることにより完全防水と雑音吸収を実現するという作用を有する。
【０００９】
本発明の請求項２に記載の発明は、請求項１記載の雑音吸収装置において、無電磁気石は装置本体に対して着脱自在であるようにしたものであり、無電磁気石の取り替えにより雑音吸収装置の機能を種々変更することができるという作用を有する。
【００１０】
本発明の請求項３に記載の発明は、請求項１記載の雑音吸収装置において、装置本体の内部の無電磁気石装着部には無電磁気石に係合する突起部材を設けたものであり、無電磁気石を装置本体内に確実に収容固定するという作用を有する。
【００１１】
本発明の請求項４に記載の発明は、請求項３記載の雑音吸収装置において、突起部材は無電磁気石の端部に係合して当該無電磁気石を固定するようにしたものであり、無電磁気石を両端から保持し装置本体内に確実に収容固定するという作用を有する。
【００１２】
本発明の請求項５に記載の発明は、請求項３記載の雑音吸収装置において、突起部材は無電磁気石の胴体部外面に押圧接触して当該無電磁気石を固定するようにしたものであり、無電磁気石を中間部分で保持し装置本体内に確実に収容固定するという作用を有する。
【００１３】
本発明の請求項６に記載の発明は、請求項１記載の雑音吸収装置において、装置本体内には無電磁気石を複数個取り付け可能であり、雑音障害の状況に応じて取り付け個数を変化させることが可能であるようにしたものであり、無電磁気石を出し入れすることにより雑音障害の程度におうじた対策が簡単に採り得るという作用を有する。
【００１４】
本発明の請求項７に記載の発明は、請求項１記載の雑音吸収装置において、係止部材は異質な電線径においても完全な防水を実現するようにしたものであり、雑音吸収装置の応用範囲を拡大させることができるという作用を有する。
【００１５】
本発明の請求項８に記載の発明は、請求項１記載の雑音吸収装置において、被覆電線は弾力性を有しており、この弾力性を用いて被覆電線を筐体に完全固定するようにしたものであり、筐体への取り付けが確実に行なえるという作用を有する。
【００１６】
本発明の請求項９に記載の発明は、請求項１記載の雑音吸収装置において、係止部材は装置本体の端部から外部へ露出した部位の外周に装置本体の貫通孔よりも半径方向外方へ突出したリブを有し、ナット部材を装置本体にねじ込んで係止部材が装置本体の貫通孔に嵌入されることによりリブが半径方向内方へ変位せしめられ、電線保持部材を圧縮変形させるようにしたものであり、強力な圧着力で電線締め付け部の防水性を確保するという作用を有する。
【００１７】
本発明の請求項１０に記載の発明は、請求項１記載の雑音吸収装置において、係止部材はリブを有するようにしたものであり、ねじ込み操作によって係止部材の圧着力を生じさせるという作用を有する。
【００２４】
本発明の請求項１１に記載の発明は、請求項１記載の雑音吸収装置において、前記装置本体の被覆電線引き込み口の部分は、複数の電線固定部分を有し、該複数の電線固定部分は前記装置本体の端部において、装置本体寄りの部位の電線固定部分から装置本体から最も離れた部位の電線固定部分にかけて内径が順次小さくなるように設定され、前記電線固定部分は、端部が二股割れ構造に形成され、この二股に分離された辺部を締結部材により締め付け可能としたものであり、種々の電線の太さに自由に対応するとともに電線の締めつけを確実に行なえるという作用を有する。
【００２５】
本発明の請求項１２に記載の発明は、請求項１１記載の雑音吸収装置において、一の電線固定部分と、これに隣接する部分との間には切溝が形成され、この切溝部分で切離し可能としたものであり、種々の電線の太さに対応させるのに不要な部分を切り離すのみで対応することができるという作用を有する。
【００２６】
（実施の形態１）
以下、本発明の実施の形態を図面を参照して説明する。図１は本発明の第１の実施の形態に係る固定式及び完全防水雑音吸収装置の一部断面正面図であり、図２は上記雑音吸収装置の分解斜視図である。図１および図２において、１０は本実施の形態にかかる雑音吸収装置の中心的な部材である装置本体であり、長手方向ほぼ中央部分にフランジ１１を備えている。１２は装置本体１０の内部に装着される無電磁気石であり２個の無電磁気石１２ａ、１２ｂが装着される。１３は装置本体１０の内部に装着され被覆電線を保持する電線保持部材、１４は電線保持部材１３を包持して固定取り付けされる係止部材、１５は無電磁気石１２ｂ、電線保持部材１３、係止部材１４を装置本体１０内に装着固定するナット部材、１６は無電磁気石１２ａを装置本体１０内に装着固定するナット部材、１７はナット部材１７の締め付けを安定化させるスペーサである。
【００２７】
装置本体１０は、長手方向に延びた貫通孔１８を有しており、その外面にはフランジ１１を挟んで両側にねじ部１９が形成された筒状（この実施の形態では円筒状）構造を有する。ねじ部１９は後端側（図１中右端側）を組立ねじ部１９ａ、先端側を固定ねじ部１９ｂとする。無電磁気石１２は通し孔２０を有する円筒構造を有し、装置本体１０の貫通孔１８中に収容固定される。無電磁気石１２の通し孔２０内には被覆電線２１が挿通される。電線保持部材１３は、被覆電線２１を通す通し孔２１を有する筒状構造を有し、合成樹脂などの弾性材料により製作される。また、この電線保持部材１３は装置本体１０の中に無電磁気石１２と突き合う状態で収容される。
【００２８】
係止部材１４は、電線保持部材１３を外部から包持することができるよう筒状構造を有し、電線保持部材１３と装置本体１０の内壁との間の隙間に挿入される。この係止部材１４は、図２に示すように、比較的薄肉の筒状本体２２と、筒状本体２２の内壁から半径方向内方へ突出した係止片２３と、筒状本体２２の外壁から半径方向外方へ突出した摺動片（リブ）２４とを有している。係止片２３および摺動片２４は筒状本体２２と一体的になっており、係止部材１４は合成樹脂を一体成型することにより製作される。また、摺動片２４は係止部材１４の先端（図２に示す状態において左端を先端とする）部から所定の寸法後退した部位から立ち上がっており、その立ち上がり方は筒状本体２２の外周面から徐々に立ち上がる傾斜構造となっている。
【００２９】
ナット部材１５は、装置本体１０の組立ねじ部１９ａに対して、係止部材１４が取り付けられる端面側からねじ込まれ、ねじ込み作用により係止部材１４を装置本体１０の貫通孔１８に押し込んで雑音吸収装置を組み立てるのに使用される。他方ナット部材１６は、装置本体１０の固定ねじ部１９ｂに対して、ナット部材１５とは反対側の端面からねじ込まれ、雑音吸収装置自体および被覆電線２１を電子機器などの筐体に固定取り付けするのに使用される。
【００３０】
このような各部材の構成の下において、雑音吸収装置を構成するには、一例としては、図３に示すように、装置本体１０の貫通孔１８の内壁に予め無電磁気石１２（１２ａ、１２ｂの両方とも）を接着剤２５により固定しておき、各部材に被覆電線２１を通す。そして、装置本体１０の後端側から電線保持部材１３を貫通孔１８内へ挿入し、次いで係止部材１４を貫通孔１８内へ挿入する。係止部材１４は、その外周から半径方向外方へ突出した摺動片２４を有しているから、係止部材１４の先端のみが装置本体１０の貫通孔１８内に嵌入する。
【００３１】
そして、この状態においてナット部材１５が、装置本体１０の組立ねじ部１９ａに対して、係止部材１４が取り付けられる端面側からねじ込まれ、係止部材１４を装置本体１０の貫通孔１８に押し込むことにより摺動片２４の作用で外周から内側へ向けて圧縮変形させる。ナット部材１５の締め付け操作により係止部材１４が外周から内側へ変形すると、さらに係止部材１４の変形により電線保持部材１３が外側から圧縮されて被覆電線２１に密着しシールする。これにより、装置本体１０への無電磁気石１２、電線保持部材１３、係止部材１４の組み付けが行なわれ雑音吸収装置の組立てが完了する。
【００３２】
また、他方のナット１６は装置本体１０の固定ねじ部１９ｂに対して、ナット部材１５とは反対側の端面からねじ込まれる。雑音吸収装置を筐体に取り付ける必要がないときはナット部材１６は単に固定ねじ部１９ｂにねじ込まれるのみである。そして、ナット部材１５を緩めれば電線保持部材１３及び係止部材１４は装置本体１０の貫通孔１８から容易に外すことができ、また、無電磁気石１２も必要に応じて、片方の無電磁気石１２ａまたは１２ｂを取り外す（接着されている場合はこれを剥がせばよい）などを行なって雑音障害の状況に応じて取り付け個数を変化させることができる。
【００３３】
以上のように、被覆電線２１に対して雑音吸収装置の各部材を組み付け固定するのみで雑音吸収装置が構成されると同時に完全防水構成が確立される。
【００３４】
図４乃至図６は、第１の実施の形態において、装置本体１０とその内部に装着された無電磁気石１２との結合関係、すなわち取り付け固定状態の他の態様を表す図である。図４に示す例においては、装置本体１０の貫通孔１８内壁の無電磁気石１２の装着部分には、無電磁気石１２に係合する突起部材２６が設けられている。突起部材２６は無電磁気石１２の前後端部に係合する位置に設けられており、当該無電磁気石１２に係合してこれを固定する。この突起部材２６は貫通孔１８の内壁から半径方向内方へ突出して設けられた略三角形状の係合片から構成されている。この係合片は、例えばゴムなどの弾性部材から構成されており、無電磁気石１２を貫通孔１８に挿入したり取り出したりするときは撓み変形する。
【００３５】
図５に示す例においては、装置本体１０の貫通孔１８内壁の無電磁気石１２の装着部分には、無電磁気石１２に係合する突起部材２７が設けられている。この突起部材２７は、上記突起部材２６と同様、無電磁気石１２の前後端部に係合する位置に設けられており、当該無電磁気石１２に係合してこれを固定する。この突起部材２７は貫通孔１８の内壁から半径方向内方へ突出して設けられたブロック体から構成されている。このブロック体は、貫通孔１８の端面（出入口）側から奥側へかけて下り階段状（端面側が高く、奥側が低い）に形成された構造を有し、例えばゴムなどの弾性部材から構成されており、無電磁気石１２を貫通孔１８に挿入したり取り出したりするときは撓み変形し、且つブロック体の段部が無電磁気石１２の端面に当たってこれを固定支持する。
【００３６】
図６に示す例においては、装置本体１０の貫通孔１８内壁の無電磁気石１２の装着部分には、無電磁気石１２に係合する突起部材２８が設けられている。この突起部材２８は、上記突起部材２６、２７と異なり、無電磁気石１２の装着部分の長手方向中間部分に嵌入取り付けされ、無電磁気石１２の胴体部分に圧着することによりこれを固定する。この突起部材２８は無電磁気石１２の外周に圧着するリング体から構成されている。このリング体を装置本体１０の内壁と無電磁気石１２との間に嵌入するよう、無電磁気石１２の外周には円周方向に延びる溝が形成されている。また、リング体は、例えばゴムなどの弾性部材から構成されており、無電磁気石１２を貫通孔１８に挿入したり取り出したりするときは膨張、収縮し、且つリング体の断面形状が変形してこれを固定支持する。
【００３７】
さらに、この実施の形態に係る雑音吸収装置を電気機器などの筐体に取り付ける場合の態様について説明する。図７はこの第１の実施の形態に係る雑音吸収装置を筐体に結合した状態を示す透視側面図である。図７に示すように、ナット１６の装着側の装置本体１０部分を筐体２９の取付穴３０に挿入し、反対側からナット部材１６を固定ねじ部１９ｂにねじ込むことによりフランジ１１とナット部材１６との間に筐体２９の壁を挟み付け、雑音吸収装置を筐体２９に結合させることができる。このときナット部材と筐体２９の壁との間にスペーサ１７を介在させておくと、ナット部材１６の締め付け力が効率的に働き、ねじ締めを安定させることができる。このように、本実施の形態に係る雑音吸収装置は、それ自体が防水型の雑音吸収機能であり、且つ筐体２９に直接取り付け可能であって被覆電線を筐体２９に接続固定するコネクタとしての機能も有するから、コネクタ機能と雑音吸収機能とを併せ持った雑音吸収装置ということができる。
【００３８】
図８および図９は本発明の第２の実施の形態に係る分割式雑音吸収装置を示す図である。これらの図のうち、図８は雑音吸収装置を２つに分割して示す斜視図であり、図９は上記雑音吸収装置を２つに分割した状態を示す正面図である。図８および図９において、３１は本実施の形態にかかる雑音吸収装置の本体となるケースであり、ケース分割体３１ａとケース分割体３１ｂとに分割可能である。３２はケースに装着される無電磁気石であり、ケース３１が分割可能であるのと基を一にして、無電磁気石分割体３２ａと無電磁気石分割体３２ｂとに分割可能である。３３はケース分割体３２ａに設けられた電線抑え部である。
【００３９】
ケース３１は、合成樹脂を成型加工して製作され、長手方向へ一端から他端まで延び電線通し孔となる貫通孔３４を有し外形断面が略矩形状の筒状構造を有する。この貫通孔３４もまた、ケース３１が分割可能であるのと基を一にして、第１の貫通孔部３４ａと第２の貫通孔部３４ｂとに分かれており、ケース３１を組み立てることにより１つの貫通孔３４となる。無電磁気石３２は通し孔３５を有する筒状構造を有し、ケース分割体３１ａ、３１ｂのそれぞれの貫通孔部３４ａ、３４ｂ内に収容固定される。上記通し孔３５もまた、ケース３１が分割可能であるのと基を一にして、第１の通し孔部３５ａと第２の通し孔部３５ｂとに分かれており、ケース３１を組み立てることにより１つの通し孔３５となる。電線抑え部３３は、ケース分割体３１ａの内部において、このケース分割体３１ａの本体から第１の貫通孔部３４ａへ向けて半径方向内方へ延びている。
【００４０】
この実施の形態において、第１および第２のケース分割体３１ａ、３２ｂの内部の無電磁気石装着部には無電磁気石３２に係合する突起部材３６が設けられている。この突起部材３６は、無電磁気石３２の装着部分の長手方向中間部分に嵌入取り付けされ、無電磁気石３２の胴体部分に圧着することによりこれを固定する。この突起部材３６は無電磁気石３２の外周に圧着するリング体から構成されている。リング体もまた、ケース３１が分割可能であるのと基を一にして、半分づつに分割され各ケース分割体３１ａ、３１ｂに装着されている。この突起部材３６を装置本体１０の内壁と無電磁気石３２との間に嵌入するよう、無電磁気石３２の外周には円周方向に延びる溝が形成されている。また、突起部材３６は、例えばゴムなどの弾性部材から構成されており、無電磁気石３２ａ、３２ｂを貫通孔部３４ａ、３４ｂに装着したり取り外したりするときは膨張、収縮し、且つ突起部材３６の断面形状が変形してこれを固定支持する。なお、突起部材３６の変形例として、上記第１の実施の形態において説明した突起部材２６または２７と同じ構造および取り付け関係のものを採用することもできる。
【００４１】
さらにケース３１の外面には、当該ケース３１を周回する方向に延びる溝部３７が形成されている。この溝部３７はケース３１の外面よりも１段下がった窪み構造を有しており、雑音吸収装置を電気機器などの筐体に取り付けるときの取り付け部となる。図１０はこの第２の実施の形態に係る雑音吸収装置を筐体に結合した状態を示す透視側面図である。すなわち、図１０に示すように、筐体３８の取付穴３９に対して被覆電線４０に取り付けた雑音吸収装置を押し込むことにより合成樹脂製のケース３１が幾分変形し、取付穴３９に嵌まり溝部３７において雑音吸収装置を筐体３８に結合させることができる。このように、この第２の実施の形態に係る雑音吸収装置は、上記第１の実施の形態におけると同様、それ自体が防水型の雑音吸収機能であり、且つ筐体に直接取り付け可能であって被覆電線を筐体２９に接続固定するコネクタとしての機能も有するから、コネクタ機能と雑音吸収機能とを併せ持った雑音吸収装置ということができる。
【００４２】
図１１は本発明の第３の実施の形態に係る雑音吸収装置を一部分解して示す斜視図である。これらの図のうち、図１１は図１および図２に示された完全防水雑音吸収装置とほぼ同一の基本構成を有する雑音吸収装置を被覆電線に固定する方式として複数径ネジ式固定部の開口部をネジによって締め付け固定することができるように改良した例を示す斜視図である。すなわちこの雑音吸収装置は、その被覆電線引き込み口の部分に、それぞれ異なった内径に設定された電線固定部分４１、４２、４３を備えている。これらの電線固定部分４１、４２、４３は装置本体１０の端部において、装置本体１０寄りの部位から比較的大きな内径を有する第１の電線固定部分４１と、中位の内径を有する第２の電線固定部分４２と、装置本体１０から最も離れた部位にあり他の２つの電線固定部分４１、４２と比べると最も小さな内径を有する第３の電線固定部分４３とを連結させた構造になっている。電線固定部分４１、４２、４３の内径は、電線固定部分４１の側から電線固定部分４３へかけて階段状に小さくなっている。或いは電線固定部分４１、４２、４３の内径は、電線固定部分４１の側から電線固定部分４３へかけて次第に細くなる、所謂テーパが付けられた通路構造になっていてもよい。
【００４３】
電線固定部分４１、４２、４３は、それぞれ、図１１中において下端部分が二股割れ構造になっており、さらに下端部側面には二股に分離された辺部を通して延びるねじ通し孔４８、４９、５０が設けられている。なお、図１１中においては、ねじ通し孔５０には締め付け用のネジ５１がねじ込まれている。このネジ５１を締めたり緩めたりすることにより電線固定部分４３の内径を所定の範囲で調整することができ被覆電線を確実に固定することができる。他の電線固定部分４１、４２についても同様である。したがって、この事例では、比較的細い被覆電線を結合するため最も小さな内径を有する第３の電線固定部分４３を使っている例を表している。また、装置本体１０と第１の電線固定部分４１との境界部分、第１の電線固定部分４１と第２の電線固定部分４２との境界部分、および第２の電線固定部分４２と第３の電線固定部分４３との境界部分には、それらの部分で切離しが行なえるよう切溝５２、５３、５４が設けられている。そして、電線固定部分４１、４２、４３を、固定される電線の太さに応じて適当な切溝部分で装置本体１０から切り落とすことができるようになっている。上記のように電線固定部分４１、４２、４３を適当な切溝５２、５３、５４部分で装置本体１０から切り落とすことができるようにするため、電線固定部分４１、４２、４３はプラスチック材料で製作することが好ましい。
【００４４】
このような構成を採っているため、被覆電線の太さの違いにも対応でき、更にネジ５１で締め付けることによって固定強度を増すことができる。無電磁石は図２と同様の方式で、装置本体１０の内部に収容固定される。このように、この第３の実施の形態に係る雑音吸収装置は、上記第１の実施の形態におけると同様、それ自体が雑音吸収機能を有しており、被覆電線を接続固定するコネクタとしての機能も有するから、コネクタ機能と雑音吸収機能とを併せ持った雑音吸収装置ということができる。
【００４５】
図１２は図１１に示した電線固定構造を持った、本発明の第４の実施の形態に係る接続切替装置保護ケースおよびそれに類するケースを示す斜視図である。この接続切替装置保護ケース６０は、被覆電線引き込み口の内部に無電磁石を収容する構造を有しており、またこの形態も上記図７と同様の被覆電線固定方式の構造を持っている。そして、被覆電線引き込み口の部分は、上記第３の実施の形態におけると同様、それぞれ異なった内径に設定された電線固定部分４５、４６、４７を備えている。これらの電線固定部分４５、４６、４７はケース本体６１の被覆電線引き込み口の部分において、ケース本体６１寄りの部位から比較的大きな内径を有する第１の電線固定部分４５と、中位の内径を有する第２の電線固定部分４６と、ケース本体６１から最も離れた部位にあり他の２つの電線固定部分４５、４６と比べると最も小さな内径を有する第３の電線固定部分４７とを連結させた構造になっている。電線固定部分４５、４６、４７の内径は、電線固定部分４５の側から電線固定部分４７へかけて階段状に小さくなっている。或いは電線固定部分４５、４６、４７の内径は、電線固定部分４５の側から電線固定部分４７へかけて次第に細くなる、所謂テーパが付けられた通路構造になっていてもよい。
【００４６】
さらに、電線固定部分４５、４６、４７は、それぞれ、図１１中において下端部分が二股割れ構造になっており、さらに下端部側面には二股に分離された辺部を通して延びるねじ通し孔６２、６３、６４が設けられている。なお、図１１中においては、ねじ通し孔６４には締め付け用のネジ６５がねじ込まれている。このネジ６５を締めたり緩めたりすることにより電線固定部分４７の内径を所定の範囲で調整することができ被覆電線を確実に固定することができる。他の電線固定部分４５、４６についても同様である。したがって、この事例では、比較的細い被覆電線を結合するため最も小さな内径を有する第３の電線固定部分４７を使っている例を表している。また、ケース本体６１と第１の電線固定部分４５との境界部分、第１の電線固定部分４５と第２の電線固定部分４６との境界部分、および第２の電線固定部分４６と第３の電線固定部分４７との境界部分には、それらの部分で切離しが行なえるよう切溝６６、６７、６８が設けられている。そして、電線固定部分４５、４６、４７を、固定される電線の太さに応じて適当な切溝部分でケース本体６１から切り落とすことができるようになっている。上記のように電線固定部分４５、４６、４７を適当な切溝６６、６７、６８部分でケース本体６１から切り落とすことができるようにするため、電線固定部分４５、４６、４７はプラスチック材料で製作することが好ましい。
【００４７】
このような構成を採っているため、接続切替装置保護ケース６０に接続される被覆電線の太さの違いにも対応でき、更にネジ６５で締め付けることによって固定強度を増すことができる。無電磁石は図２と同様の方式で、ケース本体６１の内部に収容固定される。
【００４８】
【発明の効果】
本発明は、上記実施の形態から明らかなように、雑音吸収装置を、無電磁気石を内部に有し、被覆電線を締め付けるように固定できるようにしたことを要旨とする。無電磁気石は雑音吸収装置から取り外し可能な機構を持つようにすることができ、また、雑音吸収装置内部に突起部を設けて無電磁気石を収納するようにすることもできる。
【００４９】
これにより、装置を低コストで生産できるとともに、電線の太さが異なっていても、電線に対し装置を任意の位置で確実かつ容易に固定することができる。
【００５０】
また本発明は、雑音吸収装置自体をそのまま保持できる機能を有する雑音吸収装置により、筐体に被覆電線の弾力を利用し完全固定する。
【００５１】
これにより振動、引張り等により雑音吸収装置の移動による抵抗値の変動に対する防御が確実に行える雑音吸収装置となる。また、完全防水機構に雑音吸収装置を備え、屋外での使用時における水滴等の障害に対する防御が確実に行なえる完全固定防水式雑音吸収装置も実現するものである。そして、以上の２種類の機能を１基にまとめ、２機能品を一体化させることによって容積を大幅に減少させることもできる。
【００５２】
また、次のような効果も得られる。
１）  固定用の装置本体と無電磁気石の一体化により個別の作業が不要となり、時間および作業工程が簡素化されコストの削減を図ることができる。
２）  無電磁気石の固定のために別途の金型を製作する必要画なく製品製造コストが低く抑えられる。
３）  筐体から被覆電線にかけての周辺に多種類の部品をしようする必要がなく、筐体・被覆電線結合部周辺を簡素化することができる。
４）  筐体うちのつの機能部分を１つの機能部分にまとめることができ筐体の小型化を図ることができる。
５）  防水または完全固定をしながらも、無電磁気石の取り外し可能機構により多種の雑音に対して適切な無電磁気石を使用することができる。
６）  完全防水機能を有するため、雑音吸収装置を屋外で使用することができる。
【図面の簡単な説明】
【図１】本発明の第１の実施の形態に係る固定式及び完全防水雑音吸収装置の一部断面正面図
【図２】前記第１の実施の形態に係る雑音吸収装置の分解斜視図
【図３】前記第１の実施の形態において装置本体へ無電磁気石を接着剤により固定取り付けした状態を示す斜視図
【図４】前記第１の実施の形態において装置本体とその内部に装着された無電磁気石とを三角形状の係合片から構成された突起部材により固定する態様を示す斜視図
【図５】前記第１の実施の形態において装置本体とその内部に装着された無電磁気石とを段付のブロック体から構成された突起部材により固定する態様を示す斜視図
【図６】前記第１の実施の形態において装置本体とその内部に装着された無電磁気石とを無電磁気石の胴体部分に圧着するリング体から構成された突起部材により固定する態様を示す斜視図
【図７】前記第１の実施の形態に係る雑音吸収装置を筐体に結合した状態を示す透視側面図
【図８】本発明の第２の実施の形態に係る分割式及び完全防水雑音吸収装置を２つに分割して示す斜視図
【図９】前記第２の実施の形態に係る分割式及び完全防水雑音吸収装置を２つに分割して示す側面図
【図１０】前記第２の実施の形態に係る雑音吸収装置を筐体に結合した状態を示す透視側面図
【図１１】本発明の第３の実施の形態に係る雑音吸収装置を一部分解して示す斜視図
【図１２】前記第４の実施の形態に係る接続切替装置保護ケースおよびそれに類するケースを示す斜視図
【図１３】従来例における雑音吸収装置を被覆電線に取り付け、また被覆電線を筐体にコネクタにより結合した状態の斜視図
【図１４】従来例における雑音吸収装置の一構造例を示す斜視図
【符号の説明】
１０  装置本体
１１  フランジ
１２  無電磁気石
１３  電線保持部材
１４  係止部材
１５、１６  ナット部材
１７  スペーサ
１８  貫通孔
１９  ねじ部
２０  通し孔
２１  被覆電線
２２  筒状本体
２３  係止片
２４  摺動片
２５  接着剤
２６、２７、２８  突起部材
２９、３８  筐体
３１  ケース
３２  無電磁気石
３３  電線抑え部
３４  貫通孔３４
３５  通し孔
３６  突起部材
４１、４２、４３、４５、４６、４７  電線固定部分
４８、４９、５０、６２、６３、６４  ねじ通し孔
５１、６５  ネジ
５２、５３、５４、６６、６７、６８  切溝
６０  接続切替装置保護ケース
６１  ケース本体
【図１】
0004255152.tif 000002
【図２】
0004255152.tif 000003
【図３】
0004255152.tif 000004
【図４】
0004255152.tif 000005
【図５】
0004255152.tif 000006
【図６】
0004255152.tif 000007
【図７】
0004255152.tif 000008
【図８】
0004255152.tif 000009
【図９】
0004255152.tif 000010
【図１０】
0004255152.tif 000011
【図１１】
0004255152.tif 000012
【図１２】
0004255152.tif 000013
【図１３】
0004255152.tif 000014
【図１４】
0004255152.tif 000015